(57)【要約】      （修正有） 【課題】愛犬などの写真をもとに石膏などで形を作って額縁に収納する壁掛けであって、愛犬の頭部を立体的に表現し、毛がある柔らかい感じを与える立体壁掛を提供する。【解決手段】立体壁掛け１は、土台１１と額縁１２及び立体対象物２からなる。土台１１に、例えば愛犬を象った立体対象物２を接着剤などで貼りつける。立体対象物２は、愛犬などの動物の頭部を象った粘土と、その上に貼った布からなる。頭にあたる布は、額と口と舌（取付ける場合）と耳と顎に分けて、リリアンで愛犬同様の色のリリアンで刺繍し、起毛したものを、粘土の表面に接着剤で貼りつける。耳は、柔らかいので、粘土等で型をとらずに、耳の色にあった同様の色のリリアンで布に刺繍し、起毛したものを貼りつける。目の部分は、ガラス又はプラスチックを使用する。鼻は口の上に鼻の色に合わせたリリアンの起毛した物を貼り付ける。仕上がった立体対象物２を土台１１に取り付ける。【選択図】図１
0003179900.tif 000002
【実用新案登録請求の範囲】
【請求項１】
土台のついた額縁と、その土台に取り付けられた立体対象物からなり、立体対象物は、動物の頭を象った粘土と、その粘土の表面に布を貼ったことを特徴とする動物の立体壁掛け。
【請求項２】
前記布はリリアンで刺繍した事を特徴とする請求項１記載の動物の立体壁掛け。
【請求項３】
前記リリアンを起毛したことを特徴とする請求項２記載の動物の立体壁掛け。
【考案の詳細な説明】
【技術分野】
【０００１】
本考案は布製の立体壁掛けに関する。
【背景技術】
【０００２】
愛犬を写真にとって、その写真をもとに石膏などで形を作成し、色を塗ったりして額縁に収納する壁掛けなどがある。
【先行技術文献】
【特許文献】
【０００３】
【特許文献１】特開２００４−３１３５０７公報
【考案の概要】
【考案が解決しようとする課題】
【０００４】
下記のように課題があります。
１）従来の壁掛けの場合、殆どが石膏で制作されているために、固い感じで、家族の一員の愛犬としてのイメージが少なくなり、堅苦しく馴染みにくい。
２）石膏への色付けでは、家族の一員の愛犬の毛の柔らかい感触を表現できない。
【課題を解決するための手段】
【０００５】
土台のついた額と、その土台に取り付けられた立体対象物からなり、立体対象物は、愛犬の頭を象った粘土と、その粘土の表面に布を貼ったことを特徴とする愛犬の立体壁掛け。
【０００６】
布はリリアンで刺繍した事を特徴とする愛犬の立体壁掛け。
【０００７】
リリアンを起毛したことを特徴とする請求項２記載の愛犬の立体壁掛け。
【考案の効果】
【０００８】
額に愛犬の頭部を、立体的に表現し、毛がある柔らかい感じの立体壁掛けを提供できる。
【図面の簡単な説明】
【０００９】
【図１】本考案の立体壁掛け
【図２】本考案の立体壁掛けの構成
【図３】本考案の立体壁掛けの製造方法
【考案を実施するための形態】
【００１０】
図１は、本考案の壁掛けを示す。
立体壁掛け１は、土台１１と額縁１２及び立体対象物２からなる。土台１１に、例えば愛犬を象った立体対象物２を接着剤などで貼りつける。立体対象物２は、愛犬などの動物の頭部を象った粘土と、その上に貼った布からなる。頭にあたる布は、額と口と舌（取付ける場合）と耳と顎に分けて、リリアンで愛犬同様の色のリリアンで刺繍し、起毛したものを、粘土の表面に接着剤で貼りつける。耳は、柔らかいので、粘土等で型をとらずに、耳の色にあった同様の色のリリアンで布に刺繍し、起毛したものを貼りつける。目の部分は、ガラス又はプラスチックを使用する。鼻は口の上に鼻の色に合わせたリリアンの起毛した物を貼り付ける。仕上がった立体対象物2を土台11に取り付ける。
舌を付ける場合は、鼻の位置と口の位置を確認した上で取り付ける。顎は、同色の色で寸法を測り型紙を作り、リリアンで刺繍し土台に起毛した物を貼り付ける。
実施例では、愛犬の場合について記載しているが、愛犬以外に、一般の生き物、動物の適用できる。
【００１１】
図２は、図１のＡ−Ａ断面である。断面は、内側から粘土２１、リリアンで刺繍した布２２、リリアンを起毛して毛２３からなる。出来上がった物を土台にセットした後、起毛した顎２９を取り付ける。粘土の厚さは、大きさに応じて、強さを確保しながら、重さを少なくするようにする。粘土の代わりに石膏を使用してもよい。
【００１２】
図３は、本考案の壁掛けの製造方法を示す。立体対象物が、愛犬の場合について示す。本考案の立体壁掛けの製造工程は次の通りである。
工程１：「犬の顔を粘土で型をとる」：銀紙の上に粘土をのせて、犬の顔に当て素早く型を取る。型をとるときは、耳の付け根から口の先迄、特に鼻先の所は、きちんと取る事により大きさが分かる。
工程２：「粘土の上で型紙を作る」：型を取った粘土の上に紙を乗せメジャー等を使い寸法を測って型紙を作る。
工程３：「布に粘土の上で取った型紙を移す。額と口と耳に分ける」：粘土の上に型紙をのせ寸法を測った紙を、布に載せ額と口と耳に分け型紙を作る。
工程４：「額と口と耳に分けた布にリリアンで刺繍する」：木枠に布を載せ押しピンでしっかり止め型紙を取った物を上に載せ形を移し、印を入れる。印を入れた物に額と口と耳に３つに分けリリアンの針で一針ずつ刺繍する。
工程５：「リリアンで刺繍した分に裏から糊で固める」：額と口と耳に３つに分けたリリアンで刺繍したのに、裏から糊で固める。糊でしっかり固めないと起毛が出来ない。
工程６：「表から起毛する」：表から起毛する。糊が乾いていることを確認する。糊が乾いていたら表から起毛器（先に金物が付いている）でこすって毛を作る。
工程７：「粘土の土台にボンドで張り付ける」：工程６にて制作した部品に、まず口の方から糊で固めた所のみ裁断して、粘土の犬の顔に接着剤で引っ付ける。少し口の方は先の方へ（2〜3ｍｍ）突き出す方が良い、口の方は貼付後プードル等カットした犬は、カットした形に裁断してやる。後から額の部分を引っ付け、後に耳も引っ付ける。口の部分と額の部分の隙間が無い様に取り付ける。
工程８：「目を付ける」：布を裁断して粘土の犬の顔と口と接着剤で引っ付けた後に、目の位置を決めてガラス又は、プラスチックの目を付ける。
工程９：「耳を付ける」：目の位置を決めて目を付けた後、起毛した耳を付ける。
工程１０：「舌を付ける場合」：舌を取り付ける場合は、目とのバランスを見て付ける。舌は、リリアンで刺繍した後、毛をカットする方が良い。
工程１１：「土台に取り付ける。」耳を付けた後は、土台に穴をあけ頭全体を土台の中入れ込み土台の方にボンドを塗って取り付ける。
工程１２：「顎を付ける」：頭全体を土台に取り付けた後、頭の下に顎の型紙を作り、構工程4と工程5と同じようにして土台に張り付ける。出来上がりを見て修正する所があれば、ここで修正する。取り付ける時少し頭を下向きの方が良い。中綿を入れ裏から土台と同じ大きさの紙を乗せ引っ付けて閉じる。
工程１３；「額縁にセットする」：額縁の土台に立体対象物を取り付ける。
【産業上の利用可能性】
【００１３】
愛犬を立体的にした立体壁掛けを提供する。
【符号の説明】
【００１４】
１     立体壁掛け
１１  土台
１２  額縁
２     立体対象物
２１  粘土
２２  布
２３  起毛
２４  額
２５  口
２６  目
２７  耳
２８  鼻
２９  顎
【図１】
0003179900.tif 000003
【図２】
0003179900.tif 000004
【図３】
0003179900.tif 000005